(57)【要約】【課題】剥離紙を剥がすことや剥離紙を剥がしたあとの貼付けを容易にした絆創膏、湿布、指紋取りシール、ステッカー等の粘着シートを提供する。【解決手段】粘着シート本体２の長手方向一端より粘着面２ａの略三分の二乃至五分の四を覆って第一剥離紙３を粘着させる。第一剥離紙３の他端側には幅が元の幅より小さくなって延設された引っぱり摘み部３ａを形成し、これを粘着シート本体２の一端側に折り曲げておく。そして、引っぱり摘み部先端３ａを外部へと露出させた状態で第一剥離紙３の他端側の一部分と粘着シート本体２の第一剥離紙３で覆われていない粘着面２ａ全体を覆って第二剥離紙４を粘着させる。引っぱり摘み部３ａ先端をガイドに第一剥離紙３との重なり部分に指をかけ第二剥離紙４を剥がす。露出した粘着面で貼付け対象位置に仮止めし、次に、引っぱり摘み部３ａを摘んで第一剥離紙３を完全に剥がし貼付けを完了する。【選択図】図１
2006312701.tif 000002
【特許請求の範囲】
【請求項１】
粘着シート本体の長手方向一端より他端に向かって粘着面の略三分の二乃至五分の四を覆って粘着され、また、幅が元の幅の略五分の一乃至三分の一に小さくなって他端側に延設され一端側に折り曲げられた引っぱり摘み部を有する第一剥離紙と、
前記第一剥離紙の引っぱり摘み部先端を外部へと露出させた状態で前記第一剥離紙の他端側の一部分と粘着シート本体の第一剥離紙で覆われていない粘着面全体を覆って粘着された第二剥離紙と
を具備することを特徴とする粘着シート。
【請求項２】
粘着シート本体の長手方向一端より他端に向かって粘着面の略五分の一乃至三分の一を覆って粘着され、また、幅が元の幅の略五分の一乃至三分の一に小さくなって他端側に延設され一端側に折り曲げられた引っぱり摘み部を有する第一剥離紙と、
前記第一剥離紙の引っぱり摘み部先端を露出させた状態で前記第一剥離紙の他端側の一部分と粘着シート本体の第一剥離紙で覆われていない粘着面全体を覆って粘着された第二剥離紙と
を具備することを特徴とする粘着シート。
【請求項３】
粘着シート本体の長手方向一端より他端に向かって粘着面の略五分の一乃至三分の一を覆って粘着され、また、幅が元の幅の略五分の一乃至三分の一に小さくなって他端側に延設され一端側に折り曲げられた引っぱり摘み部を有する第一剥離紙と、
粘着シート本体の長手方向他端より一端に向かって粘着面の略五分の一乃至三分の一を覆って粘着され、また、幅が元の幅の略五分の一乃至三分の一に小さくなって一端側に延設され他端側に折り曲げられた引っぱり摘み部を有する第二剥離紙と、
前記第一剥離紙の引っぱり摘み部先端及び前記第二剥離紙の引っぱり摘み部先端を露出させた状態で前記第一剥離紙の他端側の一部分と前記第二剥離紙の一端側の一部分と粘着シート本体の第一剥離紙及び第二剥離紙で覆われていない粘着面全体を覆って粘着された第三剥離紙と
を具備することを特徴とする粘着シート。
【請求項４】
外力を受けない状態ではそのままの形状を保持できる程度の剛性を有するとともに折り曲げ自在な素材からなり粘着シート本体の長手方向一端より他端に向かって粘着面の略五分の一乃至三分の一を覆って粘着され、また、他端側に延設され一端側に折り曲げられた引っぱり摘み部を有する第一剥離部材と、
外力を受けない状態ではそのままの形状を保持できる程度の剛性を有するとともに折り曲げ自在な素材からなり第一剥離部材の引っぱり摘み部との接合部分より粘着シート本体の他端に向かって延設され第一剥離部材で覆われていない粘着面全体を覆って粘着され第一剥離部材との接合部分に他の部分の厚さに比べて肉厚が略五分の一乃至三分の一程度の厚さの切り込みを備えて第一剥離部材に一体成型され、また、第一剥離部材との接合側端部より第一剥離部材の引っぱり摘み部とは逆方向に折り曲げられて延設された引っぱり摘み部を有する第二剥離部材と
を具備することを特徴とする粘着シート。
【請求項５】
外力を受けない状態ではそのままの形状を保持できる程度の剛性を有するとともに折り曲げ自在な素材からなり粘着シート本体の長手方向一端より他端に向かって粘着面の略五分の一乃至三分の一を覆って粘着され、また、他端側に延設され一端側に折り曲げられた引っぱり摘み部を有する第一剥離部材と、
外力を受けない状態ではそのままの形状を保持できる程度の剛性を有するとともに折り曲げ自在な素材からなり粘着シート本体の長手方向他端より一端に向かって粘着面の略五分の一乃至三分の一を覆って粘着され、また、一端側に延設され他端側に折り曲げられた引っぱり摘み部を有する第二剥離部材と、
外力を受けない状態ではそのままの形状を保持できる程度の剛性を有するとともに折り曲げ自在な素材からなり第一剥離部材の引っぱり摘み部との接合部分から第二剥離部材の引っぱり摘み部との接合部分へと連続して繋がり粘着シート本体の第一剥離部材及び第二剥離部材で覆われていない粘着面全体を覆って粘着され第一剥離部材及び第二剥離部材との各接合部分に他の部分の厚さに比べて肉厚が略五分の一乃至三分の一程度の厚さの切り込みを備えて第一剥離部材及び第二剥離部材に一体成型され、また、第一剥離部材及び第二剥離部材との各接合側端部より第一剥離部材及び第二剥離部材の各引っぱり摘み部とは逆方向に折り曲げられて延設された２つの引っぱり摘み部を有する第三剥離部材と
を具備することを特徴とする粘着シート。
【請求項６】
外力を受けない状態ではそのままの形状を保持できる程度の剛性を有するとともに折り曲げ自在な素材からなり粘着シート本体の長手方向一端より他端に向かって粘着面の略五分の一乃至三分の一を覆い、また、粘着シート本体の幅方向の端部または長手方向一端側の端部に略１ミリメートル乃至５ミリメートルのずれ部分を有して粘着された第一剥離部材と、
外力を受けない状態ではそのままの形状を保持できる程度の剛性を有するとともに折り曲げ自在な素材からなり粘着シート本体の長手方向他端より一端に向かって粘着面の略五分の一乃至三分の一を覆い、また、粘着シート本体の幅方向の端部または長手方向他端側の端部に略１ミリメートル乃至５ミリメートルのずれ部分を有して粘着された第二剥離部材と、
外力を受けない状態ではそのままの形状を保持できる程度の剛性を有するとともに折り曲げ自在な素材からなり第一剥離部材と第二剥離部材との間に連続して繋がり、第一剥離部材及び第二剥離部材との各接合部分に他の部分の厚さに比べて肉厚が略五分の一乃至三分の一程度の厚さの切り込みを備えて第一剥離部材及び第二剥離部材に一体成型され、また、粘着シート本体の幅方向の端部に略１ミリメートル乃至５ミリメートルのずれ部分を有して粘着された第三剥離部材と
を具備することを特徴とする粘着シート。
【請求項７】
前記粘着シートは絆創膏であることを特徴とする請求項１乃至請求項６に記載の粘着シート。
【請求項８】
前記粘着シートは湿布であることを特徴とする請求項１乃至請求項６に記載の粘着シート。
【請求項９】
前記粘着シートは指紋取りシールであることを特徴とする請求項１乃至請求項６に記載の粘着シート。
【請求項１０】
前記第一剥離紙の引っぱり摘み部の先端は粘着シート本体の長手方向一端より外部に突出していることを特徴とする請求項２に記載の粘着シート。
【請求項１１】
前記第一剥離紙の引っぱり摘み部の先端は粘着シート本体の長手方向一端より外部に突出し、前記第二剥離紙の引っぱり摘み部の先端は粘着シート本体の長手方向他端より外部に突出していることを特徴とする請求項３に記載の粘着シート。
【発明の詳細な説明】
【技術分野】
【０００１】  本発明は、絆創膏、湿布、指紋取りシール、ステッカー等の粘着シートに関するものであり、特に、粘着面を保護する剥離紙を工夫して貼付けを容易にした粘着シートに関するものである。
【背景技術】
【０００２】  従来より絆創膏、湿布、指紋取りシール、ステッカー等の粘着シートの粘着面には、粘着面を保護するために剥離紙が貼付けられている。そして、これら剥離紙の中には剥がし易くする工夫をしたものがある。例えば、図１４及び図１５に示すように、絆創膏の中には２枚の剥離紙６３，６４が絆創膏本体６２の長手方向中央で重なり部分を有して粘着面６２ａに貼付けられている絆創膏６１がある。図１４は剥離紙を剥がし易くした従来の絆創膏の一例を示す斜視図、図１５は図１４の絆創膏の剥離紙を剥がす過程を示す斜視図である。絆創膏６１によれば、２枚の剥離紙６３，６４のうち中央の重なり部分が上になっている方の剥離紙６３の重なり部分の端をつまんで引くことで剥離紙６３を剥がし易くなっている。剥離紙６３を剥がした状態では、絆創膏本体６２の粘着面６２ａのうち半分が露出した状態にあり、この部分を最初に患部に貼付けることで、絆創膏本体６２の位置決めが容易となる。その後、もう一枚の剥離紙６４を剥がすだけで、容易に絆創膏本体６２の貼付けを完了できる。【０００３】  しかし、この種の絆創膏６１では包装から取り出した直後には剥離紙６３と剥離紙６４の重なり部分は密接しており、最初に指でつまむには、相当の熟練した技量が要求され、誰もが必ずしも容易に剥離紙６３を剥がすことができるわけではなかった。また、剥離紙６３に続く剥離紙６４を剥がす場合には指をかける部分が存在せず、さらなる高度な技量が要求された。また、２つめの剥離紙６４を剥がすのが困難であるがために、患部に剥離紙６３側の粘着面６２ａを仮止めする前に剥離紙６４まで剥がした状態で患部に貼付ける場合が想定されるが２枚の剥離紙６３，６４を全て剥がした状態では、粘着面６２ａの隣り合う部分どうしが接触して固着してしまうことが多々発生していた。その結果、絆創膏の貼付けそのものにも、かなり高度な技量が要求された。このような事例は絆創膏以外の湿布、指紋取りシール、ステッカー等の粘着シートにおいても同様に発生していた。
【発明の開示】
【発明が解決しようとする課題】
【０００４】  解決しようとする問題点は、現行の絆創膏、湿布、指紋取りシール、ステッカー等の粘着シートでは剥離紙を剥がすことや、剥離紙を剥がしたあとの貼付けに困難を伴うという点である。
【課題を解決するための手段】
【０００５】  請求項１の発明にかかる粘着シートは、粘着シート本体の長手方向一端より他端に向かって粘着面の略三分の二乃至五分の四を覆って粘着され、また、幅が元の幅の略五分の一乃至三分の一に小さくなって他端側に延設され一端側に折り曲げられた引っぱり摘み部を有する第一剥離紙と、前記第一剥離紙の引っぱり摘み部先端を外部へと露出させた状態で前記第一剥離紙の他端側の一部分と粘着シート本体の第一剥離紙で覆われていない粘着面全体を覆って粘着された第二剥離紙とを備えたことを特徴とするものである。ここで、粘着シートには絆創膏、湿布、指紋取りシール、ステッカー等が含まれる。【０００６】  請求項２の発明にかかる粘着シートは、粘着シート本体の長手方向一端より他端に向かって粘着面の略五分の一乃至三分の一を覆って粘着され、また、幅が元の幅の略五分の一乃至三分の一に小さくなって他端側に延設され一端側に折り曲げられた引っぱり摘み部を有する第一剥離紙と、前記第一剥離紙の引っぱり摘み部先端を露出させた状態で前記第一剥離紙の他端側の一部分と粘着シート本体の第一剥離紙で覆われていない粘着面全体を覆って粘着された第二剥離紙とを備えたことを特徴とするものである。ここで、粘着シートには絆創膏、湿布、指紋取りシール、ステッカー等が含まれる。【０００７】  請求項３の発明にかかる粘着シートは、粘着シート本体の長手方向一端より他端に向かって粘着面の略五分の一乃至三分の一を覆って粘着され、また、幅が元の幅の略五分の一乃至三分の一に小さくなって他端側に延設され一端側に折り曲げられた引っぱり摘み部を有する第一剥離紙と、粘着シート本体の長手方向他端より一端に向かって粘着面の略五分の一乃至三分の一を覆って粘着され、また、幅が元の幅の略五分の一乃至三分の一に小さくなって一端側に延設され他端側に折り曲げられた引っぱり摘み部を有する第二剥離紙と、前記第一剥離紙の引っぱり摘み部先端及び前記第二剥離紙の引っぱり摘み部先端を露出させた状態で前記第一剥離紙の他端側の一部分と前記第二剥離紙の一端側の一部分と粘着シート本体の第一剥離紙及び第二剥離紙で覆われていない粘着面全体を覆って粘着された第三剥離紙とを備えたことを特徴とするものである。ここで、粘着シートには絆創膏、湿布、指紋取りシール、ステッカー等が含まれる。【０００８】  請求項４の発明にかかる粘着シートは、外力を受けない状態ではそのままの形状を保持できる程度の剛性を有するとともに折り曲げ自在な素材からなり粘着シート本体の長手方向一端より他端に向かって粘着面の略五分の一乃至三分の一を覆って粘着され、また、他端側に延設され一端側に折り曲げられた引っぱり摘み部を有する第一剥離部材と、外力を受けない状態ではそのままの形状を保持できる程度の剛性を有するとともに折り曲げ自在な素材からなり第一剥離部材の引っぱり摘み部との接合部分より粘着シート本体の他端に向かって延設され第一剥離部材で覆われていない粘着面全体を覆って粘着され第一剥離部材との接合部分に他の部分の厚さに比べて肉厚が略五分の一乃至三分の一程度の厚さの切り込みを備えて第一剥離部材に一体成型され、また、第一剥離部材との接合側端部より第一剥離部材の引っぱり摘み部とは逆方向���折り曲げられて延設された引っぱり摘み部を有する第二剥離部材とを備えたことを特徴とするものである。ここで、粘着シートには絆創膏、湿布、指紋取りシール、ステッカー等が含まれる。【０００９】  請求項５の発明にかかる粘着シートは、外力を受けない状態ではそのままの形状を保持できる程度の剛性を有するとともに折り曲げ自在な素材からなり粘着シート本体の長手方向一端より他端に向かって粘着面の略五分の一乃至三分の一を覆って粘着され、また、他端側に延設され一端側に折り曲げられた引っぱり摘み部を有する第一剥離部材と、外力を受けない状態ではそのままの形状を保持できる程度の剛性を有するとともに折り曲げ自在な素材からなり粘着シート本体の長手方向他端より一端に向かって粘着面の略五分の一乃至三分の一を覆って粘着され、また、一端側に延設され他端側に折り曲げられた引っぱり摘み部を有する第二剥離部材と、外力を受けない状態ではそのままの形状を保持できる程度の剛性を有するとともに折り曲げ自在な素材からなり第一剥離部材の引っぱり摘み部との接合部分から第二剥離部材の引っぱり摘み部との接合部分へと連続して繋がり粘着シート本体の第一剥離部材及び第二剥離部材で覆われていない粘着面全体を覆って粘着され第一剥離部材及び第二剥離部材との各接合部分に他の部分の厚さに比べて肉厚が略五分の一乃至三分の一程度の厚さの切り込みを備えて第一剥離部材及び第二剥離部材に一体成型され、また、第一剥離部材及び第二剥離部材との各接合側端部より第一剥離部材及び第二剥離部材の各引っぱり摘み部とは逆方向に折り曲げられて延設された２つの引っぱり摘み部を有する第三剥離部材とを備えたことを特徴とするものである。ここで、粘着シートには絆創膏、湿布、指紋取りシール、ステッカー等が含まれる。【００１０】  請求項６の発明にかかる粘着シートは、外力を受けない状態ではそのままの形状を保持できる程度の剛性を有するとともに折り曲げ自在な素材からなり粘着シート本体の長手方向一端より他端に向かって粘着面の略五分の一乃至三分の一を覆い、また、粘着シート本体の幅方向の端部または長手方向一端側の端部に略１ミリメートル乃至５ミリメートルのずれ部分を有して粘着された第一剥離部材と、外力を受けない状態ではそのままの形状を保持できる程度の剛性を有するとともに折り曲げ自在な素材からなり粘着シート本体の長手方向他端より一端に向かって粘着面の略五分の一乃至三分の一を覆い、また、粘着シート本体の幅方向の端部または長手方向他端側の端部に略１ミリメートル乃至５ミリメートルのずれ部分を有して粘着された第二剥離部材と、外力を受けない状態ではそのままの形状を保持できる程度の剛性を有するとともに折り曲げ自在な素材からなり第一剥離部材と第二剥離部材との間に連続して繋がり、第一剥離部材及び第二剥離部材との各接合部分に他の部分の厚さに比べて肉厚が略五分の一乃至三分の一程度の厚さの切り込みを備えて第一剥離部材及び第二剥離部材に一体成型され、また、粘着シート本体の幅方向の端部に略１ミリメートル乃至５ミリメートルのずれ部分を有して粘着された第三剥離部材とを備えたことを特徴とするものである。ここで、粘着シートには絆創膏、湿布、指紋取りシール、ステッカー等が含まれる。【００１１】  請求項７の発明にかかる粘着シートは、請求項１乃至請求項６の粘着シートにおいて、前記粘着シートが絆創膏であるものである。【００１２】  請求項８の発明にかかる粘着シートは、請求項１乃至請求項６の粘着シートにおいて、前記粘着シートが湿布であるものである。【００１３】  請求項９の発明にかかる粘着シートは、請求項１乃至請求項６の粘着シートにおいて、前記粘着シートが指紋取りシールであるものである。【００１４】  請求項１０の発明にかかる粘着シートは、請求項２の粘着シートにおいて、前記第一剥離紙の引っぱり摘み部の先端が粘着シート本体の長手方向一端より外部に突出していることを特徴とするものである。【００１５】  請求項１１の発明にかかる粘着シートは、請求項３の粘着シートにおいて、前記第一剥離紙の引っぱり摘み部の先端は粘着シート本体の長手方向一端より外部に突出し、前記第二剥離紙の引っぱり摘み部の先端は粘着シート本体の長手方向他端より外部に突出していることを特徴とするものである。
【発明の効果】
【００１６】  請求項１の発明にかかる粘着シートによれば、外部へと露出した引っぱり摘み部先端をガイドに第二剥離紙の第一剥離紙との重なり部分に指をかけることが容易にでき第二剥離紙を容易に剥がすことができる。特に、引っぱり摘み部は幅が第一剥離紙の元の幅の略五分の一乃至三分の一に小さくなっており、指の腹で軽くなでるだけで容易に引き上げることができる。その結果、その上側に位置する第二剥離紙の重なり部分を容易に指で摘むことができる。また、第二剥離紙を剥がした後は、粘着シート本体の粘着面のうち第二剥離紙の下に露出した部分で貼付け対象位置に仮止め出来る。仮止め後に第一剥離紙を剥がすには、前述の通り摘み易くなった引っぱり摘み部先端を摘んで引くだけで良いので、誰でも特別な技量を必要とせず、正しい位置に容易に貼付けることができる。しかも、このような工程で貼付ける場合、粘着面を直接に指で触れることがないので、脂肪分の付着等で粘着性能の劣化を招くことがない。【００１７】  請求項２の発明にかかる粘着シートによれば、外部へと露出した引っぱり摘み部先端をガイドに第二剥離紙の第一剥離紙との重なり部分に指をかけることが容易にでき第二剥離紙を容易に剥がすことができる。特に、引っぱり摘み部は幅が第一剥離紙の元の幅の略五分の一乃至三分の一に小さくなっており、指の腹で軽くなでるだけで容易に引き上げることができる。その結果、その上側に位置する第二剥離紙の重なり部分を容易に指で摘むことができる。また、第二剥離紙を剥がした後は、粘着シート本体の粘着面のうち第二剥離紙の下に露出した部分で貼付け対象位置に仮止め出来る。この時、第二剥離紙を途中まで剥がした状態では、粘着面の中央部分のみが露出した状態となり、この状態で仮止めすれば、位置合わせが極めて容易である。そして、仮止め後に第二剥離紙を完全に剥がし、続いて、第一剥離紙を剥がすだけで容易に粘着シート本体を目的位置に貼付けることができる。このとき、第一剥離紙を剥がすには、前述の通り摘み易くなった引っぱり摘み部先端を摘んで引くだけで良いので、誰でも特別な技量を必要としない。しかも、このような工程で貼付ける場合、粘着面を直接に指で触れることがないので、脂肪分の付着等で粘着性能の劣化を招くことがない。【００１８】  請求項３の発明にかかる粘着シートによれば、外部へと露出した第一剥離紙の引っぱり摘み部先端または前記第二剥離紙の引っぱり摘み部先端をガイドに第三剥離紙の第一剥離紙または第二剥離紙との重なり部分に指をかけることが容易にでき第三剥離紙を容易に剥がすことができる。特に、引っぱり摘み部は幅が第一剥離紙または第二剥離紙の元の幅の略五分の一乃至三分の一に小さくなっており、指の腹で軽くなでるだけで容易に引き上げることができる。その結果、その上側に位置する第三剥離紙の重なり部分を容易に指で摘むことができる。また、第三剥離紙を剥がした後は、粘着シート本体の粘着面のうち第三剥離紙の下に露出した部分で貼付け対象位置に仮止め出来る。この時、粘着面の中央部分のみが露出した状態となり、位置合わせが極めて容易である。続いて、第一剥離紙及び第二剥離紙を剥がすだけで容易に粘着シート本体を目的位置に貼付けることができる。このとき、第一剥離紙及び第二剥離紙を剥がすには、前述の通り摘み易くなった引っぱり摘み部の先端を摘んで引くだけで良いので、誰でも特別な技量を必要としない。しかも、このような工程で貼付ける場合、粘着面を直接に指で触れることがないので、脂肪分の付着等で粘着性能の劣化を招くことがない。【００１９】  請求項４の発明にかかる粘着シートによれば、第一剥離部材の引っぱり摘み部を摘んで引くことにより第一剥離部材は、切り込みを境に第二剥離部材から分離され容易に剥がすことができる。第一剥離部材を剥がした後は、粘着シート本体の粘着面のうち第一剥離部材の下に露出した部分で貼付け対象位置に仮止め出来る。仮止め後は、第二剥離部材の引っぱり摘み部を摘んで引くだけで第二剥離部材を、誰でも特別な技量を必要とせず、正しい位置に容易に貼付けることができる。しかも、このような工程で貼付ける場合、粘着面を直接に指で触れることがないので、脂肪分の付着等で粘着性能の劣化を招くことがない。また、本発明の粘着シートによれば、２つの剥離部材のうちの粘着シート本体の粘着面を保護する面積が大きい側である第二剥離部材から剥がすことも可能である。この場合、第二剥離部材を途中まで剥がしておき、粘着シート本体の粘着面の中央部分で仮止めできる。すなわち、粘着シート本体の両端を摘んだ状態で位置合わせできるので、位置合わせが極めて容易である。そして、仮止め後に第二剥離部材を完全に剥がし、続いて、第一剥離部材を剥がすだけで容易に粘着シート本体を目的位置に貼付けることができる。この場合においても、第一剥離部材と第二剥離部材の各引っぱり摘み部先端を摘んで引くだけで良いので、誰でも特別な技量を必要としない。しかも、このような工程で貼付ける場合も粘着面を直接に指で触れることがないので、脂肪分の付着等で粘着性能の劣化を招くことがない。【００２０】  請求項５の発明にかかる粘着シートによれば、第三剥離部材の引っぱり摘み部を摘んで引くことにより第三剥離部材は、切り込みを境に第一剥離部材及び第二剥離部材から分離され容易に剥がすことができる。第三剥離部材を剥がした後は、粘着シート本体の粘着面のうち第三剥離部材の下に露出した部分で貼付け対象位置に仮止め出来る。この時、粘着面の中央部分のみが露出した状態となり、位置合わせが極めて容易である。続いて、第一剥離部材及び第二剥離部材を剥がすだけで容易に粘着シート本体を目的位置に貼付けることができる。このとき、第一剥離部材及び第二剥離部材を剥がすには、引っぱり摘み部を摘んで引くだけで良いので、誰でも特別な技量を必要としない。しかも、このような工程で貼付ける場合、粘着面を直接に指で触れることがないので、脂肪分の付着等で粘着性能の劣化を招くことがない。【００２１】  請求項６の発明にかかる粘着シートによれば、粘着シート本体との幅方向のずれ部分を摘んで引くことにより、第三剥離部材は切り込みを境に第一剥離部材及び第二剥離部材から分離され容易に剥がすことができる。第三剥離部材を剥がした後は、粘着シート本体の粘着面のうち第三剥離部材の下に露出した部分で貼付け対象位置に仮止め出来る。この時、粘着面の中央部分のみが露出した状態となり、位置合わせが極めて容易である。続いて、第一剥離部材及び第二剥離部材を剥がすだけで容易に粘着シート本体を目的位置に貼付けることができる。このとき、第一剥離部材及び第二剥離部材を剥がすには、粘着シート本体との幅方向の端部のずれ部分または長手方向の端部のずれ部分を摘んで引くだけで良いので、誰でも特別な技量を必要としない。しかも、このような工程で貼付ける場合、粘着面を直接に指で触れることがないので、脂肪分の付着等で粘着性能の劣化を招くことがない。【００２２】  請求項７の発明にかかる粘着シートによれば、請求項１乃至請求項６の粘着シートの効果に加えて、粘着面側を指で触れる必要がない粘着シートが絆創膏であるので、患部に触れる部分を衛生的に保つことができる。【００２３】  請求項８の発明にかかる粘着シートによれば、請求項１乃至請求項６の粘着シートの効果に加えて、粘着面側を指で触れる必要がない粘着シートが湿布であるので、患部に触れる部分を衛生的に保つことができる。【００２４】  請求項９の発明にかかる粘着シートによれば、請求項１乃至請求項６の粘着シートの効果に加えて、粘着面側を指で触れる必要がない粘着シートが指紋取りシールであるので、誤って、検査者の指紋を付着させてしまうことを防止でき、より一層正しい捜査を行うことができる。【００２５】  請求項１０の発明にかかる粘着シートによれば、請求項２の粘着シートの効果に加えて、前記第一剥離紙の引っぱり摘み部の先端が粘着シート本体の長手方向一端より外部に突出しているので摘み易く、その結果、第一剥離紙、第二剥離紙ともに剥がし易い。【００２６】  請求項１１の発明にかかる粘着シートによれば、請求項３の粘着シートの効果に加えて、第一剥離紙の引っぱり摘み部の先端は粘着シート本体の長手方向一端より外部に突出しているので摘み易く、同様に、第二剥離紙の引っぱり摘み部の先端は粘着シート本体の長手方向他端より外部に突出しているので摘み易い。その結果、第一剥離紙、第二剥離紙、第三剥離紙ともに剥がし易い。
【発明を実施するための最良の形態】
【００２７】  絆創膏、湿布、指紋取りシール、ステッカー等の粘着シートの剥離紙を剥がし易くし、対象物への貼付けを容易にするという目的を剥離紙の形状や構造の改良によって実現した。
【実施例１】
【００２８】  図１は本発明の実施例１の粘着シートを示す斜視図、図２は本発明の実施例１の粘着シートの剥離紙を剥がす過程を示す斜視図である。【００２９】  図１及び図２に示すように、本発明の実施例１の粘着シート１は、粘着シート本体２の粘着面２ａを２つの剥離紙である第一剥離紙３、第二剥離紙４によって保護したものである。第一剥離紙３は粘着シート本体２の長手方向一端より他端に向かって粘着面２ａの略三分の二乃至五分の四を覆って粘着されている。また、第一剥離紙３は幅が元の幅の略五分の一乃至三分の一に小さくなって他端側に延設された引っぱり摘み部３ａを備えている。第一剥離紙３の主要部分より引っぱり摘み部３ａへと繋がる途中部分は徐々に幅が狭くなっておりテーパ状になっている。そして、引っぱり摘み部３ａは一端側に折り曲げられている。粘着シート本体２の粘着面２ａの第一剥離紙３で覆われていない部分は第二剥離紙４で覆われている。第二剥離紙４は、第一剥離紙３の引っぱり摘み部３ａを備えた他端側を部分的に覆った状態であるが、引っぱり摘み部３ａの全てまで覆っているわけではなく引っぱり摘み部３ａの先端は部分的に外部へと露出した状態にある。【００３０】  すなわち、本発明の実施例１の粘着シート１は、粘着シート本体２の長手方向一端より他端に向かって粘着面２ａの略三分の二乃至五分の四を覆って粘着され、また、幅が元の幅の略五分の一乃至三分の一に小さくなって他端側に延設され一端側に折り曲げられた引っぱり摘み部３ａを有する第一剥離紙３と、前記第一剥離紙３の引っぱり摘み部３ａ先端を外部へと露出させた状態で前記第一剥離紙３の他端側の一部分と粘着シート本体２の第一剥離紙３で覆われていない粘着面２ａ全体を覆って粘着された第二剥離紙４とを備えたことを特徴とするものである。ここで、粘着シート１には絆創膏、湿布、指紋取りシール、ステッカー等が含まれる。【００３１】  したがって、本発明の実施例１の粘着シート１によれば、外部へと露出した引っぱり摘み部３ａ先端をガイドに第二剥離紙４の第一剥離紙３との重なり部分に指をかけることが容易にでき第二剥離紙４を容易に剥がすことができる。特に、引っぱり摘み部３ａは幅が第一剥離紙３の元の幅の略五分の一乃至三分の一に小さくなっており、指の腹で軽くなでるだけで容易に引き上げることができる。その結果、その上側に位置する第二剥離紙４の第一剥離紙３との重なり部分を手前へと浮かせて容易に指で摘むことができる。また、第二剥離紙４を剥がした後は、粘着シート本体２の粘着面２ａのうち第二剥離紙４の下に露出した部分で貼付け対象位置に仮止め出来る。仮止め後に第一剥離紙３を剥がすには、前述の通り摘み易くなった引っぱり摘み部３ａの先端を摘んで引くだけで良いので、誰でも特別な技量を必要とせず、正しい位置に容易に貼付けることができる。しかも、このような工程で貼付ける場合、粘着面２ａを直接に指で触れることがないので、脂肪分の付着等で粘着性能の劣化を招くことがない。【００３２】  特に、粘着シート１が絆創膏や湿布である場合には、患部に触れる部分を衛生的に保つことができる。また、指紋取りシールである場合には、誤って、検査者の指紋を付着させてしまうことを防止でき、��り一層正しい捜査を行うことができる。
【実施例２】
【００３３】  続いて、本発明の実施例２の粘着シートについて説明する。図３は本発明の実施例２の粘着シートを示す斜視図、図４は本発明の実施例２の粘着シートの剥離紙を剥がす過程を示す斜視図である。【００３４】  図３及び図４に示すように、本発明の実施例２の粘着シート１１は、粘着シート本体１２の粘着面１２ａを２つの剥離紙である第一剥離紙１３、第二剥離紙１４によって保護したものである。第一剥離紙１３は粘着シート本体１２の長手方向一端より他端に向かって粘着面１２ａの略五分の一乃至三分の一を覆って粘着されている。また、第一剥離紙１３は幅が元の幅の略五分の一乃至三分の一に小さくなって他端側に延設された引っぱり摘み部１３ａを備えている。第一剥離紙１３の主要部分より引っぱり摘み部１３ａへと繋がる途中部分は徐々に幅が狭くなっておりテーパ状になっている。そして、引っぱり摘み部１３ａは一端側に折り曲げられている。粘着シート本体１２の粘着面１２ａの第一剥離紙１３で覆われていない部分は第二剥離紙１４で覆われている。第二剥離紙１４は、第一剥離紙１３の引っぱり摘み部１３ａを備えた他端側を部分的に覆った状態であるが、引っぱり摘み部１３ａの全てまで覆っているわけではなく引っぱり摘み部１３ａの先端は部分的に外部へと露出した状態にある。なお、図３と図４では、引っぱり摘み部１３ａの先端は、粘着シート本体１２の長手方向一端より外部に突出した状態にあるが、必ずしも、突出している必要はない。ただし、先端が粘着シート本体１２の長手方向一端より外部に突出している方が引っぱり摘み部１３ａは、より一層を先端を摘み易いので好ましい。【００３５】  すなわち、本発明の実施例２の粘着シート１１は、粘着シート本体１２の長手方向一端より他端に向かって粘着面１２ａの略五分の一乃至三分の一を覆って粘着され、また、幅が元の幅の略五分の一乃至三分の一に小さくなって他端側に延設され一端側に折り曲げられた引っぱり摘み部１３ａを有する第一剥離紙１３と、前記第一剥離紙１３の引っぱり摘み部１３ａの先端を外部へと露出させた状態で前記第一剥離紙１３の他端側の一部分と粘着シート本体１２の第一剥離紙１３で覆われていない粘着面１２ａ全体を覆って粘着された第二剥離紙１４とを備えたことを特徴とするものである。ここで、粘着シート１１には絆創膏、湿布、指紋取りシール、ステッカー等が含まれる。【００３６】  したがって、本発明の実施例２の粘着シート１１によれば、外部へと露出した引っぱり摘み部１３ａ先端をガイドに第二剥離紙１４の第一剥離紙１３との重なり部分に指をかけることが容易にでき第二剥離紙１４を容易に剥がすことができる。特に、引っぱり摘み部１３ａは幅が第一剥離紙１３の元の幅の略五分の一乃至三分の一に小さくなっており、指の腹で軽くなでるだけで容易に引き上げることができる。その結果、その上側に位置する第二剥離紙１４の重なり部分を容易に指で摘むことができる。また、第二剥離紙１４を剥がした後は、粘着シート本体１２の粘着面１２ａのうち第二剥離紙１４の下に露出した部分で貼付け対象位置に仮止め出来る。この時、図４に示すように、第二剥離紙１４を途中まで剥がした状態では、粘着面１２ａの中央部分のみが露出した状���となり、この状態で仮止めすれば、粘着シート本体１２の両端を摘んだ状態で位置合わせできるので、位置合わせが極めて容易である。そして、仮止め後に第二剥離紙１４を完全に剥がし、続いて、第一剥離紙１３を剥がすだけで容易に粘着シート本体１２を目的位置に貼付けることができる。このとき、第一剥離紙１３を剥がすには、前述の通り摘み易くなった引っぱり摘み部１３ａ先端を摘んで引くだけで良いので、誰でも特別な技量を必要としない。しかも、このような工程で貼付ける場合、粘着面１２ａを直接に指で触れることがないので、脂肪分の付着等で粘着性能の劣化を招くことがない。【００３７】  特に、粘着シート１１が絆創膏や湿布である場合には、粘着面１２ａ側を指で触れる必要がないので患部に触れる部分を衛生的に保つことができる。また、指紋取りシールである場合には、誤って、検査者の指紋を付着させてしまうことを防止でき、より一層正しい捜査を行うことができる。【００３８】  また、第一剥離紙１３の引っぱり摘み部１３ａの先端は粘着シート本体１２の長手方向一端より外部に突出しているので摘み易く、その結果、第一剥離紙１３、第二剥離紙１４ともに剥がし易い。
【実施例３】
【００３９】  続いて、本発明の実施例３の粘着シートについて説明する。図５は本発明の実施例３の粘着シートを示す斜視図、図６は本発明の実施例３の粘着シートの剥離紙を剥がす過程を示す斜視図である。【００４０】  図５及び図６に示すように、本発明の実施例３の粘着シート２１は、粘着シート本体２２の粘着面２２ａを３つの剥離紙である第一剥離紙２３、第二剥離紙２４、第三剥離紙２５によって保護したものである。第一剥離紙２３は粘着シート本体２２の長手方向一端より他端に向かって粘着面２２ａの略五分の一乃至三分の一を覆って粘着されている。第一剥離紙２３は幅が元の幅の略五分の一乃至三分の一に小さくなって他端側に延設された引っぱり摘み部２３ａを備えている。第一剥離紙２３の主要部分より引っぱり摘み部２３ａへと繋がる途中部分は徐々に幅が狭くなっておりテーパ状になっている。そして、引っぱり摘み部２３ａは一端側に折り曲げられている。また、第二剥離紙２４は粘着シート本体２２の長手方向他端より一端に向かって粘着面２２ａの略五分の一乃至三分の一を覆って粘着されている。第二剥離紙２４は幅が元の幅の略五分の一乃至三分の一に小さくなって他端側に延設された引っぱり摘み部２４ａを備えている。第二剥離紙２４についても第一剥離紙２３と同様に主要部分より引っぱり摘み部２４ａへと繋がる途中部分は徐々に幅が狭くなっておりテーパ状になっている。そして、引っぱり摘み部２４ａは他端側に折り曲げられている。粘着シート本体２２の粘着面２２ａの第一剥離紙２３及び第二剥離紙２４で覆われていない部分は第三剥離紙２５で覆われている。第三剥離紙２５は、第一剥離紙２３の引っぱり摘み部２３ａを備えた他端側及び第二剥離紙２４の引っぱり摘み部２４ａを備えた一端側を部分的に覆った状態あるが、引っぱり摘み部２３ａ，２４ａの全てまで覆っているわけではなく引っぱり摘み部２３ａ，２４ａの先端は部分的に外部へと露出した状態にある。なお、図５と図６では、引っぱり摘み部２３ａ，２４ａの先端は、粘着シート本体２２の長手方向一端または他端より外部に突出した状態にあるが、必ずしも、突出している必要はない。ただし、先端が粘着シート本体２２の長手方向端部より外部に突出している方が引っぱり摘み部２３ａ，２４ａは、より一層を先端を摘み易いので好ましい。【００４１】  すなわち、本発明の実施例３の粘着シート２１は、粘着シート本体２２の長手方向一端より他端に向かって粘着面２２ａの略五分の一乃至三分の一を覆って粘着され、また、幅が元の幅の略五分の一乃至三分の一に小さくなって他端側に延設され一端側に折り曲げられた引っぱり摘み部２３ａを有する第一剥離紙２３と、粘着シート本体２２の長手方向他端より一端に向かって粘着面２２ａの略五分の一乃至三分の一を覆って粘着され、また、幅が元の幅の略五分の一乃至三分の一に小さくなって一端側に延設され他端側に折り曲げられた引っぱり摘み部２４ａを有する第二剥離紙２４と、前記第一剥離紙２３の引っぱり摘み部２３ａ先端及び前記第二剥離紙２４の引っぱり摘み部２４ａ先端を露出させた状態で前記第一剥離紙２３の他端側の一部分と前記第二剥離紙２４の一端側の一部分と粘着シート本体２２の第一剥離紙２３及び第二剥離紙２４で覆われていない粘着面２２ａ全体を覆って粘着された第三剥離紙２５とを備えたことを特徴とするものである。ここで、粘着シート２１には絆創膏、湿布、指紋取りシール、ステッカー等が含まれる。【００４２】  したがって、本発明の実施例３の粘着シート２１によれば、外部へと露出した第一剥離紙２３の引っぱり摘み部２３ａ先端または前記第二剥離紙２４の引っぱり摘み部２４ａ先端をガイドに第三剥離紙２５の第一剥離紙２３または第二剥離紙２４との重なり部分に指をかけることが容易にでき第三剥離紙２５を容易に剥がすことができる。特に、引っぱり摘み部２３ａ，２４ａは幅が第一剥離紙２３または第二剥離紙２４の元の幅の略五分の一乃至三分の一に小さくなっており、指の腹で軽くなでるだけで容易に引き上げることができる。その結果、その上側に位置する第三剥離紙２５の重なり部分を容易に指で摘むことができる。また、第三剥離紙２５を剥がした後は、粘着シート本体２２の粘着面２２ａのうち第三剥離紙２５の下に露出した部分で貼付け対象位置に仮止め出来る。この時、粘着面２２ａの中央部分のみが露出した状態となり、位置合わせが極めて容易である。続いて、第一剥離紙２３及び第二剥離紙２４を剥がすだけで容易に粘着シート本体２２を目的位置に貼付けることができる。このとき、第一剥離紙２３及び第二剥離紙２４を剥がすには、前述の通り摘み易くなった引っぱり摘み部２３ａ，２４ａの先端を摘んで引くだけで良いので、誰でも特別な技量を必要としない。しかも、このような工程で貼付ける場合、粘着面２２ａを直接に指で触れることがないので、脂肪分の付着等で粘着性能の劣化を招くことがない。【００４３】  特に、粘着シート２１が絆創膏や湿布である場合には、粘着面２２ａ側を指で触れる必要がないので患部に触れる部分を衛生的に保つことができる。また、指紋取りシールである場合には、誤って、検査者の指紋を付着させてしまうことを防止でき、より一層正しい捜査を行うことができる。【００４４】  また、第一剥離紙２３の引っぱり摘み部２３ａの先端は粘着シート本体２２の長手方向一端より外部に突出しているので摘み易く、同様に、第二剥離紙２４の引っぱり摘み部２４ａの先端は粘着シート本体２２の長手方向他端より外部に突出しているので摘み易い。その結果、第一剥離紙２３、第二剥離紙２４、第三剥離紙２５ともに剥がし易い。
【実施例４】
【００４５】  続いて、本発明の実施例４の粘着シートについて説明する。図７は本発明の実施例４の粘着シートを示す斜視図、図８は本発明の実施例４の粘着シートの剥離紙を剥がす過程を示す斜視図である。【００４６】  図７及び図８に示すように、本発明の実施例４の粘着シート３１は、粘着シート本体３２の粘着面３２ａを２つの剥離部材である第一剥離部材３３、第二剥離部材３４によって保護したものである。第一剥離部材３３及び第二剥離部材３４はいずれ部分も外力を受けない状態ではそのままの形状を保持できる程度の剛性を有するとともに折り曲げ自在な素材からなる。例えば、第一剥離部材３３及び第二剥離部材３４はポリプロピレン等の各種プラスチック素材からなる。しかし、そのままの形状を保持できる程度の剛性を有するとともに折り曲げ自在な素材からなれば、特に、限定するものではない。そして、第一剥離部材３３は粘着シート本体３２の長手方向一端より他端に向かって粘着面３２ａの略五分の一乃至三分の一を覆って粘着されている。また、第一剥離部材３３は他端側に延設され一端側に折り曲げられた引っぱり摘み部３３ａを有している。粘着シート本体３２の粘着面３２ａの第一剥離部材３３で覆われていない部分は第二剥離部材３４で覆われている。第二剥離部材３４は第一剥離部材３３の引っぱり摘み部３３ａとの接合部分より他端に向かって延設されて一体成型されており、第一剥離部材３３と第二剥離部材３４との接合部分には他の部分の厚さに比べて肉厚が略五分の一乃至三分の一程度の厚さの切り込み３５が形成されている。また、第二剥離部材３４も第一剥離部材３３と同様に第一剥離部材３３との接合側端部に引っぱり摘み部３４ａを有し、この引っぱり摘み部３４ａは第一剥離部材３３の引っぱり摘み部３３ａとは逆方向に折り曲げられて延設されている。【００４７】  すなわち、本発明の実施例４の粘着シート３１は、外力を受けない状態ではそのままの形状を保持できる程度の剛性を有するとともに折り曲げ自在な素材からなり粘着シート本体３２の長手方向一端より他端に向かって粘着面の略五分の一乃至三分の一を覆って粘着され、また、他端側に延設され一端側に折り曲げられた引っぱり摘み部３３ａを有する第一剥離部材３３と、外力を受けない状態ではそのままの形状を保持できる程度の剛性を有するとともに折り曲げ自在な素材からなり第一剥離部材３３の引っぱり摘み部３３ａとの接合部分より粘着シート本体３２の他端に向かって延設され第一剥離部材３３で覆われていない粘着面全体を覆って粘着され第一剥離部材３３との接合部分に他の部分の厚さに比べて肉厚が略五分の一乃至三分の一程度の厚さの切り込み３５を備えて第一剥離部材３３に一体成型され、また、第一剥離部材３３との接合側端部より第一剥離部材３３の引っぱり摘み部３３ａとは逆方向に折り曲げられて延設された引っぱり摘み部３４ａを有する第二剥離部材３４とを備えたことを特徴とするものである。ここで、粘着シート３１には絆創膏、湿布、指紋取りシール、ステッカー等が含まれる。【００４８】  したがって、本発明の実施例４の粘着シート３１によれば、第一剥離部材３３の引っぱり摘み部３３ａを摘んで引くことにより第一剥離部材３３は、図８に���すように、切り込み３５を境に第二剥離部材３４から分離され容易に剥がすことができる。第一剥離部材３３を剥がした後は、粘着シート本体３２の粘着面３２ａのうち第一剥離部材３３の下に露出した部分で貼付け対象位置に仮止め出来る。仮止め後は、第二剥離部材３４の引っぱり摘み部３４ａを摘んで引くだけで第二剥離部材３４を、誰でも特別な技量を必要とせず、正しい位置に容易に貼付けることができる。しかも、このような工程で貼付ける場合、粘着面３２ａを直接に指で触れることがないので、脂肪分の付着等で粘着性能の劣化を招くことがない。また、本発明の実施例４の粘着シート３１によれば、２つの剥離部材のうちの粘着シート本体３２の粘着面３２ａを保護する面積が大きい側である第二剥離部材３４から剥がすことも可能である。この場合、図９に示すように、第二剥離部材３４を途中まで剥がしておき、粘着シート本体３２の粘着面３２ａの中央部分で仮止めできる。図９は本発明の実施例４の粘着シートの剥離紙を剥がす過程の他の例を示す斜視図である。すなわち、実施例２の粘着シート１１の場合と同様に、粘着シート本体３２の両端を摘んだ状態で位置合わせできるので、位置合わせが極めて容易である。そして、仮止め後に第二剥離部材３４を完全に剥がし、続いて、第一剥離部材３３を剥がすだけで容易に粘着シート本体３２を目的位置に貼付けることができる。この場合においても、第一剥離部材３３と第二剥離部材３４の各引っぱり摘み部３３ａ，３４ａ先端を摘んで引くだけで良いので、誰でも特別な技量を必要としない。しかも、このような工程で貼付ける場合も粘着面３２ａを直接に指で触れることがないので、脂肪分の付着等で粘着性能の劣化を招くことがない。【００４９】  特に、粘着シート３１が絆創膏や湿布である場合には、粘着面３２ａ側を指で触れる必要がないので患部に触れる部分を衛生的に保つことができる。また、指紋取りシールである場合には、誤って、検査者の指紋を付着させてしまうことを防止でき、より一層正しい捜査を行うことができる。
【実施例５】
【００５０】  続いて、本発明の実施例５の粘着シートについて説明する。図１０は本発明の実施例５の粘着シートを示す斜視図、図１１は本発明の実施例５の粘着シートの剥離紙を剥がす過程を示す斜視図である。【００５１】  図１０及び図１１に示すように、本発明の実施例５の粘着シート４１は、粘着シート本体４２の粘着面４２ａを３つの剥離部材である第一剥離部材４３、第二剥離部材４４及び第三剥離部材４５によって保護したものである。第一剥離部材４３、第二剥離部材４４及び第三剥離部材４５は、いずれも外力を受けない状態ではそのままの形状を保持できる程度の剛性を有するとともに折り曲げ自在な素材からなる。例えば、第一剥離部材４３、第二剥離部材４４及び第三剥離部材４５はポリプロピレン等の各種プラスチック素材からなる。しかし、そのままの形状を保持できる程度の剛性を有するとともに折り曲げ自在な素材からなれば、特に、限定するものではない。そして、第一剥離部材４３は粘着シート本体４２の長手方向一端より他端に向かって粘着面４２ａの略五分の一乃至三分の一を覆って粘着されている。また、第一剥離部材４３は他端側に延設され一端側に折り曲げられた引っぱり摘み部４３ａを有している。同様に、第二剥離部材４４は粘着シート本体４２の長手方向他端より一端に向かって粘着面４２ａの略五分の一乃至三分の一を覆って粘着されている。第二剥離部材４４は一端側に延設され他端側に折り曲げられた引っぱり摘み部４４ａを有している。粘着シート本体４２の粘着面４２ａの第一剥離部材４３及び第二剥離部材４４で覆われていない部分は第三剥離部材４５で覆われている。第三剥離部材４５は第一剥離部材４３の引っぱり摘み部４３ａとの接合部分から第二剥離部材４４の引っぱり摘み部４４ａとの接合部分へと連続して繋がっている。詳しくは、第三剥離部材４５は、第一剥離部材４３及び第二剥離部材４４との各接合部分に他の部分の厚さに比べて肉厚が略五分の一乃至三分の一程度の厚さの切り込みを備えて第一剥離部材４３及び第二剥離部材４４に一体成型されている。また、第三剥離部材４５の第一剥離部材４３及び第二剥離部材４４との各接合側端部には各々に引っぱり摘み部４５ａ，４５ｂが延設されている。これら引っぱり摘み部４５ａ，４５ｂは、第一剥離部材４３及び第二剥離部材４４の各引っぱり摘み部４３ａ，４４ａとは逆方向に折り曲げられている。【００５２】  すなわち、本発明の実施例５の粘着シート５１は、外力を受けない状態ではそのままの形状を保持できる程度の剛性を有するとともに折り曲げ自在な素材からなり粘着シート本体４２の長手方向一端より他端に向かって粘着面の略五分の一乃至三分の一を覆って粘着され、また、他端側に延設され一端側に折り曲げられた引っぱり摘み部４３ａを有する第一剥離部材４３と、外力を受けない状態ではそのままの形状を保持できる程度の剛性を有するとともに折り曲げ自在な素材からなり粘着シート本体４２の長手方向他端より一端に向かって粘着面の略五分の一乃至三分の一を覆って粘着され、また、一端側に延設され他端側に折り曲げられた引っぱり摘み部４４ａを有する第二剥離部材４４と、外力を受けない状態ではそのままの形状を保持できる程度の剛性を有するとともに折り曲げ自在な素材からなり第一剥離部材４３の引っぱり摘み部４３ａとの接合部分から第二剥離部材４４の引っぱり摘み部４４ａとの接合部分へと連続して繋がり粘着シート本体４２の第一剥離部材４３及び第二剥離部材４４で覆われていない粘着面全体を覆って粘着され第一剥離部材４３及び第二剥離部材４４との各接合部分に他の部分の厚さに比べて肉厚が略五分の一乃至三分の一程度の厚さの切り込みを備えて第一剥離部材４３及び第二剥離部材４４に一体成型され、また、第一剥離部材４３及び第二剥離部材４４との各接合側端部より第一剥離部材４３及び第二剥離部材４４の各引っぱり摘み部４３ａ，４４ａとは逆方向に折り曲げられて延設された２つの引っぱり摘み部４５ａ，４５ｂを有する第三剥離部材４５とを備えたことを特徴とするものである。ここで、粘着シート４１には絆創膏、湿布、指紋取りシール、ステッカー等が含まれる。【００５３】  したがって、本発明の実施例５の粘着シート４１によれば、第三剥離部材４５の引っぱり摘み部４５ａ或は４５ｂを摘んで引くことにより第三剥離部材４５は、図１１に示すように、切り込み４６，４７を境に第一剥離部材４３及び第二剥離部材４４から分離され容易に剥がすことができる。第三剥離部材４５を剥がした後は、粘着シート本体４２の粘着面４２ａのうち第三剥離部材４５の下に露出した部分で貼付け対象位置に仮止め出来る。この時、粘着面４２ａの中央部分のみが露出した状態となり、位置合わせが極めて容易である。続いて、第一剥離部材４３及び第二剥離部材４４を剥がすだけで容易に粘着シート本体４２を目的位置に貼付けることができる。このとき、第一剥離部材４３及び第二剥離部材４４を剥がすには、引っぱり摘み部４３ａ，４４ａを摘んで引くだけで良いので、誰でも特別な技量を必要としない。しかも、このような工程で貼付ける場合、粘着面４２ａを直接に指で触れることがないので、脂肪分の付着等で粘着性能の劣化を招くことがない。【００５４】  特に、粘着シート４１が絆創膏や湿布である場合には、粘着面４２ａ側を指で触れる必要がないので患部に触れる部分を衛生的に保つことができる。また、指紋取りシールである場合には、誤って、検査者の指紋を付着させてしまうことを防止でき、より一層正しい捜査を行うことができる。
【実施例６】
【００５５】  続いて、本発明の実施例６の粘着シートについて説明する。図１２は本発明の実施例６の粘着シートを示す斜視図、図１３は本発明の実施例６の粘着シートの剥離紙を剥がす過程を示す斜視図である。【００５６】  図１２及び図１３に示すように、本発明の実施例６の粘着シート５１は、実施例５の粘着シート４１と同様に粘着シート本体５２の粘着面５２ａを３つの剥離部材である第一剥離部材５３、第二剥離部材５４及び第三剥離部材５５によって保護したものである。ただし、第一剥離部材５３、第二剥離部材５４及び第三剥離部材５５は引っぱり摘み部を備えない点で、実施例５の粘着シート４１の場合と異なる。引っぱり摘み部に代えて、第一剥離部材５３、第二剥離部材５４及び第三剥離部材５５と、粘着シート本体５２との間に略１ミリメートル乃至５ミリメートルのずれ部分を有している。【００５７】  詳しくは、粘着シート本体５２の幅方向の端部には、第一剥離部材５３、第二剥離部材５４及び第三剥離部材５５との間に略１ミリメートル乃至５ミリメートルのずれ部分５８を有している。また、粘着シート本体５２の長手方向一端側の端部には、第一剥離部材５３との間に略１ミリメートル乃至５ミリメートルのずれ部分５９を有している。同様に、粘着シート本体５２の長手方向他端側の端部には、第二剥離部材５４との間に図示しない略１ミリメートル乃至５ミリメートルのずれ部分を有している。【００５８】  すなわち、本発明の実施例６の粘着シート５１は、外力を受けない状態ではそのままの形状を保持できる程度の剛性を有するとともに折り曲げ自在な素材からなり粘着シート本体５２の長手方向一端より他端に向かって粘着面の略五分の一乃至三分の一を覆い、また、粘着シート本体５２の幅方向の端部または長手方向一端側の端部に略１ミリメートル乃至５ミリメートルのずれ部分５８，５９を有して粘着された第一剥離部材５３と、外力を受けない状態ではそのままの形状を保持できる程度の剛性を有するとともに折り曲げ自在な素材からなり粘着シート本体５２の長手方向他端より一端に向かって粘着面の略五分の一乃至三分の一を覆い、また、粘着シート本体５２の幅方向の端部または長手方向他端側の端部に略１ミリメートル乃至５ミリメートルのずれ部分５８または図示しないずれ部分を有して粘着された第二剥離部材５４と、外力を受けない状態ではそのままの形状を保持できる程度の剛性を有するとともに折り曲げ自在な素材からなり第一剥離部材５３と第二剥離部材５４との間に連続して繋がり、第一剥離部材５３及び第二剥離部材５４との各接合部分に他の部分の厚さに比べて肉厚が略五分の一乃至三分の一程度の厚さの切り込み５６，５７を備えて第一剥離部材５３及び第二剥離部材５４に一体成型され、また、粘着シート本体５２の幅方向の端部に略１ミリメートル乃至５ミリメートルのずれ部分５８を有して粘着された第三剥離部材５５とを備えたことを特徴とするものである。なお、第一剥離部材５３、第二剥離部材５４及び第三剥離部材５５は、例えば、ポリプロピレン等の各種プラスチック素材からなる。しかし、そのままの形状を保持できる程度の剛性を有するとともに折り曲げ自在な素材からなれば、特に、限定するものではない。ま���、粘着シート５１には絆創膏、湿布、指紋取りシール、ステッカー等が含まれる。【００５９】  したがって、本発明の実施例６の粘着シート５１によれば、粘着シート本体５２との幅方向のずれ部分５８を摘んで引くことにより、図１３に示すように、第三剥離部材５５は切り込み５６，５７を境に第一剥離部材５３及び第二剥離部材５４から分離され容易に剥がすことができる。第三剥離部材５５を剥がした後は、粘着シート本体５２の粘着面５２ａのうち第三剥離部材５５の下に露出した部分で貼付け対象位置に仮止め出来る。この時、粘着面５２ａの中央部分のみが露出した状態となり、位置合わせが極めて容易である。続いて、第一剥離部材５３及び第二剥離部材５４を剥がすだけで容易に粘着シート本体５２を目的位置に貼付けることができる。このとき、第一剥離部材５３及び第二剥離部材５４を剥がすには、粘着シート本体５２との幅方向の端部のずれ部分５８、長手方向端部のずれ部分５９または図示しないずれ部分を摘んで引くだけで良いので、誰でも特別な技量を必要としない。しかも、このような工程で貼付ける場合、粘着面５２ａを直接に指で触れることがないので、脂肪分の付着等で粘着性能の劣化を招くことがない。【００６０】  特に、粘着シート５１が絆創膏や湿布である場合には、粘着面５２ａ側を指で触れる必要がないので患部に触れる部分を衛生的に保つことができる。また、指紋取りシールである場合には、誤って、検査者の指紋を付着させてしまうことを防止でき、より一層正しい捜査を行うことができる。【００６１】  ところで上記各実施例では、各部の寸法や比率を具体的に記載している部分があるが、これら寸法や比率は好ましい値の具体例に過ぎず、必ずしも、限定されるものではない。
【産業上の利用可能性】
【００６２】  本発明の実施例１乃至の実施例６の粘着シート１，１１，２１，３１，４１，５１は、粘着シート本体の粘着面を保護する剥離紙或は剥離部材を従来品に比べて剥がし易いだけでなく、貼付け完了までに粘着面に指を触れることを防止できる効果が高いので、絆創膏や湿布のような衛生面で高い水準が要求される形態の他、粘着面に他の指紋が残ること自体が許されない指紋取りシール等に最適である。また、ステッカーのような単なる表示目的で使用される場合であっても粘着面に脂肪分等が付着して粘着性能を劣化させることを防止できるので、粘着により貼付けるものであれば、どの様な用途のものにも適用できる。
【図面の簡単な説明】
【００６３】
【図１】本発明の実施例１の粘着シートを示す斜視図である。
【図２】本発明の実施例１の粘着シートの剥離紙を剥がす過程を示す斜視図である。
【図３】本発明の実施例２の粘着シートを示す斜視図である。
【図４】本発明の実施例２の粘着シートの剥離紙を剥がす過程を示す斜視図である。
【図５】本発明の実施例３の粘着シートを示す斜視図である。
【図６】本発明の実施例３の粘着シートの剥離紙を剥がす過程を示す斜視図である。
【図７】本発明の実施例４の粘着シートを示す斜視図である。
【図８】本発明の実施例４の粘着シートの剥離紙を剥がす過程を示す斜視図である。
【図９】本発明の実施例４の粘着シートの剥離紙を剥がす過程の他の例を示す斜視図である。
【図１０】本発明の実施例５の粘着シートを示す斜視図である。
【図１１】本発明の実施例５の粘着シートの剥離紙を剥がす過程を示す斜視図である。
【図１２】本発明の実施例６の粘着シートを示す斜視図である。
【図１３】本発明の実施例６の粘着シートの剥離紙を剥がす過程を示す斜視図である。
【図１４】剥離紙を剥がし易くした従来の絆創膏の一例を示す斜視図である。
【図１５】図１４の絆創膏の剥離紙を剥がす過程を示す斜視図である。
【符号の説明】
【００６４】  １，１１，２１，３１，４１，５１  粘着シート
２，１２，２２，３２，４２，５２  粘着シート本体
２ａ，１２ａ，２２ａ，３２ａ，４２ａ，５２ａ  粘着面
３，１３，２３  第一剥離紙
４，１４，２４  第二剥離紙
３ａ，１３ａ，２３ａ，２４ａ，３３ａ，３４ａ，４３ａ，４４ａ，４５ａ，４５ｂ  引っぱり摘み部
２５  第三剥離紙
３３，４３，５３  第一剥離部材
３４，４４，５４  第二剥離部材
３５，４６，４７，５６，５７  切り込み
４５，５５  第三剥離部材
５８，５９  ずれ部分
６１  絆創膏
６２  絆創膏本体
６２ａ  粘着面
６３，６４  剥離紙
【図１】
2006312701.tif 000003
【図２】
2006312701.tif 000004
【図３】
2006312701.tif 000005
【図４】
2006312701.tif 000006
【図５】
2006312701.tif 000007
【図６】
2006312701.tif 000008
【図７】
2006312701.tif 000009
【図８】
2006312701.tif 000010
【図９】
2006312701.tif 000011
【図１０】
2006312701.tif 000012
【図１１】
2006312701.tif 000013
【図１２】
2006312701.tif 000014
【図１３】
2006312701.tif 000015
【図１４】
2006312701.tif 000016
【図１５】
2006312701.tif 000017